(57)【要約】【課題】無線接続システムでのハンドオーバー遂行及び通信再開方法を提供する。【解決手段】ハンドオーバー遂行方法は、サービング基地局（serving  base  station）と第１通信連結を通じて通信する段階と、前記サービング基地局から少なくとも一つの候補ターゲット基地局（target  base  station）と関連し、少なくとも前記少なくとも一つの候補ターゲット基地局によって処理されうるサービスの品質を含むハンドオーバー情報を受信する段階と、を含む。また、前記方法は、前記選択されたターゲット基地局とのハンドオーバーに失敗した場合、前記サービング基地局と正常の通信を再開したり、前記選択されたターゲット基地局から前記サービング基地局へ向かうハンドオーバー結果メッセージに対して前記サービング基地局から解除される段階を含む。【選択図】図４
2008503172.tif 000002
【特許請求の範囲】
【請求項１】
無線通信システムでハンドオーバーを行う方法において、
サービング基地局（serving  base  station）と第１通信連結を通じて通信する段階と、
前記サービング基地局から、少なくとも一つの候補ターゲット基地局（target  base  station）と関連し、少なくとも前記少なくとも一つの候補ターゲット基地局によって処理されうるサービスの品質を含むハンドオーバー情報を受信する段階と、
移動局（mobile  subscriber  station）は、前記ハンドオーバー情報に対応してハンドオーバーを行うか否かを決定し、前記サービング基地局として選択されたターゲット基地局にハンドオーバーを行うことを指示するハンドオーバー指示子を転送する段階と、
前記サービング基地局との第１通信連結を維持する間、前記選択されたターゲット基地局と第２通信連結を設定するために前記選択されたターゲット基地局と、前記移動局と前記選択されたターゲット基地局との上りリンク同期及び電力調整の設定を試みる過程を含むレンジング過程を行う段階と、
前記選択されたターゲット基地局とのハンドオーバーに失敗した場合、前記サービング基地局と正常的な通信を再開したり、前記選択されたターゲット基地局から前記サービング基地局へ向かうハンドオーバー結果メッセージに対して前記サービング基地局から解除される段階と、
を含むハンドオーバー遂行方法。
【請求項２】
前記サービング基地局が、ハンドオーバーターゲット基地局にハンドオーバー確認を転送した後、前記サービング基地局から少なくとも前記ハンドオーバーターゲット基地局によって処理されるために要請されるサービス品質情報を含むハンドオーバー応答を受信する段階をさらに含むことを特徴とする、請求項１に記載のハンドオーバー遂行方法。
【請求項３】
ハンドオーバーを始めた移動局において、前記サービング基地局からハンドオーバー応答を受信する前に、第１通信連結を通じてサービング基地局にハンドオーバー要請を転送する段階をさらに含むことを特徴とする、請求項１に記載のハンドオーバー遂行方法。
【請求項４】
ハンドオーバーを始めたサービング基地局において、前記サービング基地局にハンドオーバー応答を転送する前に、前記サービング基地局からハンドオーバー要請を受信する段階をさらに含むことを特徴とする、請求項１に記載のハンドオーバー遂行方法。
【請求項５】
前記移動局は、前記ハンドオーバー結果メッセージがハンドオーバー成功を指示する場合、前記サービング基地局から解除されることを特徴とする、請求項１に記載のハンドオーバー遂行方法。
【請求項６】
前記移動局は、前記ハンドオーバー結果メッセージがハンドオーバー失敗を指示する場合、前記サービング基地局と正常的な通信を再開することを特徴とする、請求項１に記載のハンドオーバー遂行方法。
【請求項７】
前記レンジング過程を行う段階は、
高速レンジングのために前記ターゲット基地局からフレームスロット割当を受信する段階と、
前記割り当てられたフレームスロットを用いて、前記ターゲット基地局にレンジング要請を転送する段階と、
前記ターゲット基地局からレンジング応答を受信する段階と、
をさらに含むことを特徴とする、請求項１に記載のハンドオーバー遂行方法。
【請求項８】
前記ターゲット基地局から前記サービング基地局へ向かうハンドオーバー結果メッセージは、基地局間バックボーンメッセージであることを特徴とする、請求項１に記載のハンドオーバー遂行方法。
【請求項９】
前記ハンドオーバー指示子は、（１）サービング基地局解除、（２）ハンドオーバー取消、（３）ハンドオーバー拒絶のうち、いずれか一つを含むことを特徴とする、請求項１に記載のハンドオーバー遂行方法。
【請求項１０】
無線通信システムでハンドオーバーを行う方法において、
第１通信連結を通じて移動局（mobile  subscriber  station）からハンドオーバー要請を受信する段階と、
ターゲット基地局（target  base  station）に事前ハンドオーバー知らせを転送する段階と、
前記サービング基地局が前記ターゲット基地局からハンドオーバー確認を受信した後、ハンドオーバー応答を転送する段階と、
前記移動局から前記ターゲット基地局とハンドオーバー遂行を指示するハンドオーバー指示子を受信する段階と、
前記サービング基地局との第１通信連結が維持される間、前記ターゲット基地局と第２通信連結を設定するために、前記ターゲット基地局と前記移動局間の設定過程を行う段階と、
前記ターゲット基地局から前記サービング基地局へ向かうハンドオーバー結果メッセージに応じて前記移動局との正常的な通信を持続するか解除する段階と、
を含む、ハンドオーバー遂行方法。
【請求項１１】
前記移動局は、前記ハンドオーバー結果メッセージがハンドオーバー成功を指示する場合、前記サービング基地局から解除されることを特徴とする、請求項１０に記載のハンドオーバー遂行方法。
【請求項１２】
前記移動局は、前記ハンドオーバー結果メッセージがハンドオーバー失敗を指示する場合、前記サービング基地局と正常の通信を再開することを特徴とする、請求項１０に記載のハンドオーバー遂行方法。
【請求項１３】
無線通信システムでハンドオーバーを行う方法において、
ターゲット基地局（target  base  station）に事前ハンドオーバー知らせを転送する段階と、
サービング基地局（serving  base  station）が、前記ターゲット基地局からハンドオーバー確認を受信した後にハンドオーバー応答を転送する段階と、
第１通信連結を通じて前記サービング基地局との通信状態にある移動局（mobile  subscriber  station）にハンドオーバー要請を転送する段階と、
前記移動局から前記ターゲット基地局にハンドオーバー遂行を指示するハンドオーバー応答を受信する段階と、
前記サービング基地局との第１通信連結が維持される間、前記ターゲット基地局との第２通信連結を設定するために、前記移動局と前記ターゲット基地局間のセットアップ過程を行う段階と、
前記ターゲット基地局から前記サービング基地局へ向かうハンドオーバー結果メッセージに応じて前記移動局との正常の通信を持続するか解除する段階と、
を含む、ハンドオーバー遂行方法。
【請求項１４】
前記ハンドオーバー要請は、可能なハンドオーバーターゲット基地局を含むことを特徴とする、請求項１３に記載のハンドオーバー遂行方法。
【請求項１５】
前記ターゲット基地局から前記サービング基地局へ向かうハンドオーバー結果メッセージを受信する段階をさらに含むことを特徴とする、請求項１３に記載のハンドオーバー遂行方法。
【請求項１６】
無線通信システムの移動局（mobile  subscriber  station）において、
第１通信連結を通じてサービング基地局（serving  base  station）と通信する手段と、
前記サービング基地局から少なくとも一つの候補ターゲット基地局（target  base  station）と関連し、少なくとも前記少なくとも一つの候補ターゲット基地局によって処理されうるサービスの品質を含むハンドオーバー情報を受信する手段と、
移動局（mobile  subscriber  station）は、前記ハンドオーバー情報に対応してハンドオーバーを行うか否かを決定し、前記サービング基地局として選択されたターゲット基地局にハンドオーバーを行うことを指示するハンドオーバー指示子を転送する手段と、
前記サービング基地局との第１通信連結を維持する間、前記選択されたターゲット基地局と第２通信連結を設定するために前記選択されたターゲット基地局と、前記移動局と前記選択されたターゲット基地局との上りリンク同期及び電力調整の設定を試みる過程を含むレンジング過程を行う手段と、
前記選択されたターゲット基地局とのハンドオーバーに失敗した場合、前記サービング基地局と正常の通信を再開したり、前記選択されたターゲット基地局から前記サービング基地局へ向かうハンドオーバー結果メッセージに対して前記サービング基地局から解除される手段と、
を備える、移動局。
【請求項１７】
前記サービング基地局がハンドオーバーターゲット基地局にハンドオーバー確認を転送した後、前記サービング基地局から少なくとも前記ハンドオーバーターゲット基地局によって処理されるために要請されるサービス品質情報を含むハンドオーバー応答を受信する手段をさらに備えることを特徴とする、請求項１６に記載の移動局。
【請求項１８】
ハンドオーバーを始めた移動局において、前記サービング基地局からハンドオーバー応答を受信する前に、第１通信連結を通じてサービング基地局にハンドオーバー要請を転送する手段をさらに備えることを特徴とする、請求項１６に記載の移動局。
【請求項１９】
前記レンジング過程を行う手段は、
高速レンジングのために前記ターゲット基地局からフレームスロット割当を受信する手段と、
前記割り当てられたフレームスロットを用いて、前記ターゲット基地局にレンジング要請を転送する手段と、
前記ターゲット基地局からレンジング応答を受信する手段と、
をさらに備えることを特徴とする、請求項１６に記載の移動局。
【請求項２０】
無線通信システムで移動局とハンドオーバーを行うためのネットワークにおいて、
第１通信連結を通じて移動局（mobile  subscriber  station）からハンドオーバー要請を受信する手段と、
ターゲット基地局（target  base  station）に事前ハンドオーバー知らせを転送する手段と、
前記サービング基地局が、前記ターゲット基地局からハンドオーバー確認を受信した後にハンドオーバー応答を転送する手段と、
前記移動局から前記ターゲット基地局とハンドオーバー遂行を指示するハンドオーバー指示子を受信する手段と、
前記サービング基地局との第１通信連結が維持される間、前記ターゲット基地局と第２通信連結を設定するために、前記ターゲット基地局と前記移動局間のセットアップ過程を行う手段と、
前記ターゲット基地局から前記サービング基地局へ向かうハンドオーバー結果メッセージに応じて、前記移動局との正常の通信を持続するか解除する手段と、
を備える、ネットワーク。
【請求項２１】
前記移動局は、前記ハンドオーバー結果メッセージがハンドオーバー成功を指示する場合、前記サービング基地局から解除されることを特徴とする、請求項２０に記載のネットワーク。
【請求項２２】
前記移動局は、前記ハンドオーバー結果メッセージがハンドオーバー失敗を指示する場合、前記サービング基地局と正常の通信を再開することを特徴とする、請求項２０に記載のネットワーク。
【請求項２３】
無線通信システムで移動局とハンドオーバーを行うためのネットワークにおいて、
ターゲット基地局（target  base  station）に事前ハンドオーバー知らせを転送する手段と、
サービング基地局（serving  base  station）が、前記ターゲット基地局からハンドオーバー確認を受信した後にハンドオーバー応答を転送する手段と、
第１通信連結を通じて前記サービング基地局との通信状態にある移動局（mobile  subscriber  station）にハンドオーバー要請を転送する手段と、
前記移動局から前記ターゲット基地局にハンドオーバー遂行を指示するハンドオーバー応答を受信する手段と、
前記サービング基地局との第１通信連結が維持される間、前記ターゲット基地局との第２通信連結を設定するために、前記移動局と前記ターゲット基地局間のセットアップ過程を行う手段と、
前記ターゲット基地局から前記サービング基地局へ向かうハンドオーバー結果メッセージに応じて、前記移動局との正常の通信を持続するか解除する手段と、
を備える、ネットワーク。
【請求項２４】
前記ハンドオーバー要請は、可能なハンドオーバーターゲット基地局を含むことを特徴とする、請求項２３に記載のネットワーク。
【請求項２５】
前記ターゲット基地局から前記サービング基地局へ向かうハンドオーバー結果メッセージを受信する手段をさらに備えることを特徴とする、請求項２３に記載のネットワーク。
【発明の詳細な説明】
【技術分野】
【０００１】
本発明は、無線接続システムに係り、具体的には、無線接続システムでのハンドオーバー遂行に関する。
【背景技術】
【０００２】
ＩＥＥＥ８０２．１６ｅシステムは、広帯域無線接続システムに対する国際標準化の一部である。ＩＥＥＥ８０２．１６ｅのシステムは、既存の第２世代あるいは第３世代移動通信システムとは違い、ＨＬＲ、ＶＬＲ、ＭＳＣ、ＢＳＣ、ＲＮＣなどの階層的構造を備えず、移動局（ＭＳＳ；Mobile  subscriber  station）と基地局（ＢＳ；Base  Station）と認証管理サーバー（Authentication  Service  Authorization  Server；以下、‘ＡＳＡサーバー’という。）とを備えてなる。基地局と移動局間には、共通した物理（Phyical；以下、‘ＰＨＹ'という。）階層と、接続制御（Medium  Access  Control；以下、‘ＭＡＣ’という。）階層を定義している。
【０００３】
広帯域無線接続システムにおいて、従来技術によるハンドオーバー手順を説明すると、下記の通りである。
【０００４】
１．ハンドオーバーのための前処理過程
ハンドオーバーのための前処理過程として、周辺基地局に関する情報を基地局から放送して、セル内の全ての移動局に知らせる過程（Network  Topology  Advertisement）が含まれる。この前処理過程はまた、この情報に基づいて隣接基地局のチャネル品質を測定する過程（MSS  scanning  of  neighbor  BS）を含む。また、基地局と周辺基地局間に初期移動局電力値、同期のための時間差値などのようなパラメータを合わせる過程（Association  Procedures）を含んでなる。
【０００５】
ａ．ネットワークトポロジー広告（Network  Topology  Advertisement）
ネットワークトポロジー広告過程では、基地局は網構成に関する情報をＭＯＢ＿ＮＢＲ−ＡＤＶ  ＭＡＣメッセージを介してセル内の全ての移動局に放送（Broadcasting）することで、セル内の全ての移動局に周辺基地局の情報を知らせる。
【０００６】
ｂ．周辺基地局スキャニング（MSS  scanning  of  neighbor  BS）
周辺基地局スキャニング過程では、移動局は、ハンドオーバーのために周辺基地局をスキャニング（scanning）する。そして、周辺基地局をスキャニングするためのスキャニング周期（scanning  interval）をＭＯＢ＿ＳＣＮ−ＲＥＱ  ＭＡＣメッセージを介して基地局に要請する。すると、前記基地局は、これに対する応答としてＭＯＢ＿ＳＣＮ−ＲＳＰ  ＭＡＣメッセージを転送して、移動局が周辺基地局をスキャニングできる周期を割り当てる。また、基地局は、移動局の要請なしにも直接ＭＯＢ＿ＳＣＮ＿ＲＳＰ  ＭＡＣメッセージを転送しても良い（Unsolicited  request）。この時、基地局が割り当てるスキャニング周期及びスキャニング開始のためのオフセット単位はいずれもフレーム単位に割り当てられる。
【０００７】
ｃ．連合過程（Association  Procedures）
連合過程（Association  Procedures）では、移動局が基地局とレンジング（Ranging）過程を行ってセルに正常に合流する。前記レンジング過程は、移動局が基地局から通信のための基本的な情報を獲得する過程である。すなわち、移動局が基地局をスキャニングして新しい基地局を選択すると、前記連合過程を行う。移動局と基地局は、ＲＮＧ＿ＲＥＱ  ＭＡＣメッセージとＲＮＧ＿ＲＳＰ＿ＭＡＣメッセージを転送して、移動局の電力オフセット値及びタイミングオフセット値などを適切な値に設定するようにする。ＲＮＧ＿ＲＥＱ  ＭＡＣメッセージを転送するのことを、初期レンジング（Initial  Ranging）動作という。これは、移動局がネットワーク進入（Network  Entry）過程を行うための基本動作となる。ハンドオーバー時に新しい移動局を受け入れたターゲット基地局（Target  base  station）は、特定移動局が自身のセルに連合（Association）した事項を、移動局が以前に属していたサービング基地局（Serving  base  station）に転送し、移動局に関する情報を保存する。
【０００８】
２．ハンドオーバー過程（Handover  process）
ハンドオーバー過程では、上記ハンドオーバー前処理過程で獲得した隣接基地局とのチャネル品質情報に基づいて移動局はハンドオーバーを始める。
【０００９】
ａ．セル選択（Cell  Selection）
セル選択（Cell  selection）動作は、移動局がセルに正常に登録する前に、移動局が現在セルの基地局で転送する信号の信号対干渉雑音比（Signal  to  Interference  Noise  Ratio；以下、‘ＳＩＮＲ'という。）よりも優れた信号のＳＩＮＲを受信できる基地局に新しく登録するためにセルを変える動作である。この時、移動局が登録過程を行わなかったため、基地局では移動局の移動状況がわからない状態となる。
【００１０】
ｂ．ハンドオーバー開始（HO  initiation）
ハンドオーバー開始は、基地局と移動局のいずれによっても行われることができる。すなわち、基地局がハンドオーバーを要請する場合には、基地局がＭＯＢ＿ＢＳＨＯ−ＲＥＱ  ＭＡＣメッセージを移動局に転送する。しかしながら、移動局がハンドオーバーを要請する場合には、ＭＯＢ＿ＭＳＳＨＯ−ＲＥＱ  ＭＡＣメッセージを移動局が基地局に転送するようになる。
【００１１】
移動局がＭＯＢ＿ＭＳＳＨＯ−ＲＥＱ  ＭＡＣメッセージを転送する場合には、まず移動局は好ましく前記ＭＯＢ＿ＭＳＳＨＯ−ＲＥＱ  ＭＡＣメッセージが現在のサービング基地局に転送されるように、前記基地局に周辺基地局から受信した信号のＳＩＮＲを転送する。現在サービング基地局は、ハンドオーバーを行うためのターゲット基地局として候補基地局（Candidate  BS）を選択する。
【００１２】
基地局が移動局からＭＯＢ＿ＭＳＳＨＯ−ＲＥＱ  ＭＡＣメッセージを受信する、あるいは、基地局が移動局をハンドオーバーさせるために転送するＭＯＢ＿ＢＳＨＯ−ＲＥＱ  ＭＡＣメッセージを転送する前に、周辺基地局から特定移動局をハンドオーバーさせるための受信確認信号（Acknowledgement；以下、‘ＡＣＫ’という。）を確認した後、移動局のハンドオーバーを許容するようになる。ＭＯＢ＿ＢＳＨＯ／ＭＳＳＨＯ−ＲＥＱメッセージを受信した移動局または基地局は、ＭＯＢ＿ＭＳＳＨＯ／ＢＳＨＯ−ＲＳＰ  ＭＡＣメッセージを転送して、ハンドオーバーを行うターゲット基地局を移動局／基地局に知らせる。
【００１３】
ｃ．ハンドオーバー取消（HO  cancellation）
移動局または基地局がハンドオーバーを行うためにＭＯＢ＿ＭＳＳＨＯ／ＢＳＨＯ−ＲＥＱ  ＭＡＣメッセージを転送してから移動局はハンドオーバーを取消（Cancel）できる。この時、移動局は、ＭＯＢ＿ＨＯ−ＩＮＤ  ＭＡＣメッセージの特定フィールドを設定（HO_Type＝０１）して基地局に転送し、これを受信した基地局は、現在進行中のハンドオーバーを取消す。
【００１４】
ｄ．ハンドオーバー終了（Termination  with  the  serving  BS）
移動局は、ＭＯＢ＿ＨＯ−ＩＮＤ  ＭＡＣメッセージをサービング基地局に転送して、ハンドオーバーが正常に完了したことを知らせ、ハンドオーバー動作を完了する。この時、移動局は、ＭＯＢ＿ＨＯ−ＩＮＤ  ＭＡＣメッセージの特定フィールドを設定（HO  Type＝００）して、正常にハンドオーバーが終了したということをサービング基地局に転送する。基地局は、移動局からＭＯＢ＿ＨＯ−ＩＮＤ  ＭＡＣメッセージを受信し、直ちにハンドオーバーを行った移動局に割り当てられたＭＡＣ状態マシン（state  machine）を終了する。また、前記サービング基地局は、自動再転送要求（ＡＲＱ；Automatic  Reqeat  Request）連結及びデータ転送に係る全ての連結を終了する。
【００１５】
ｅ．ハンドオーバー拒絶（HO  rejection）
移動局は、基地局が勧告したハンドオーバーを拒むことができ、この時、移動局はＭＯＢ＿ＨＯ−ＩＮＤ  ＭＡＣメッセージの特定フィールドを設定（HO  Type＝１０）して、基地局に転送する。基地局は、移動局から拒絶（Reject）メッセージを受信すると、ターゲット基地局（Target  BS）を再び把握して、移動局にＭＯＢ＿ＢＳＨＯ−ＲＳＰメッセージを再転送する。
【００１６】
図１は、移動局の要請によるハンドオーバー過程を示す流れ図である。
【００１７】
まず、図１に示すように、移動局１１は、周辺基地局から転送される信号品質を測定する周辺基地局スキャニング過程を行う（Ｓ１１０）。前記周辺基地局スキャニングの結果、ハンドオーバーをする必要があると判断されると、移動局１１は、サービング基地局１２に対してハンドオーバー要請メッセージ（ＭＯＢ−ＭＳＳ−ＨＯ−ＲＥＱ）を転送する（Ｓ１１１）。
【００１８】
そして、前記ハンドオーバー要請メッセージを受信したサービング基地局１２は、周辺のハンドオーバーターゲット基地局１３，１４に、移動局１１がハンドオーバー要請をしているという情報を含む事前ハンドオーバー知らせメッセージ（HO-pre-notification）を転送する（Ｓ１１２，Ｓ１１３）。前記事前ハンドオーバー知らせメッセージには、ハンドオーバーを要請する移動局１１の識別子（MSS  identifier）、連結パラメータ（connection  parameters）、支援能力（capabilities）、必要な帯域幅（required  bandwidth）及びサービス品質に関する情報（Quality  of  Service）を含む。
【００１９】
事前ハンドオーバー要請メッセージを受信した周辺のハンドオーバーターゲット基地局１３，１４のそれぞれは、前記サービング基地局１２に事前ハンドオーバー知らせに対する応答メッセージ（HO-pre-notification-response）を転送する（Ｓ１１４，S１１５）。前記事前ハンドオーバー知らせに対する応答メッセージには、前記事前ハンドオーバー知らせメッセージの受信確認（acknowledge）情報及び要請したサービス品質（Quality  of  Service）に対する支援可否情報を含む。
【００２０】
サービング基地局１２は、前記事前ハンドオーバー知らせに対する応答メッセージに応じて、周辺のハンドオーバーターゲット基地局１３，１４のいずれか一つを選択して、ハンドオーバー確認メッセージ（HO-Confirm）を転送できる（Ｓ１１６）。そして、ハンドオーバーを行うターゲット基地局情報を含むハンドオーバー応答メッセージ（ＭＯＢ−ＢＳＨＯ−ＲＳＰ）を、移動局１１に転送する（Ｓ１１７）。前記ハンドオーバー応答メッセージを受信した移動局１１は、サービング基地局１２と連結を解除するためのハンドオーバー指示子メッセージ（ＭＯＢ−ＨＯ−ＩＮＤ）を、前記サービング基地局１２に転送する（Ｓ１１８）。前記サービング基地局１２は、前記ハンドオーバー指示子メッセージを受信すると、前記移動局１１に対して連結を解除する（Ｓ１１９）。
【００２１】
移動局１１は、ハンドオーバーが行われるサービスターゲット基地局１４と高速レンジング（Ｆａｓｔ  Ｒａｎｇｉｎｇ＿ＩＥ）、レンジング要請（ＲＮＧ−ＲＥＱ）及びレンジング応答（ＲＮＧ−ＲＳＰ）過程を行う（Ｓ１２０、Ｓ１２１、Ｓ１２２）。これにより、前記ターゲット基地局１４が、サービング基地局１４となり、前記移動局１１は、ハンドオーバー後の初期ネットワーク進入を完了する（Ｓ１２３）。
【００２２】
図２は、基地局の要請によるハンドオーバー過程を示す流れ図である。
【００２３】
図２に示すように、サービング基地局２２は、自身の判断によって移動局２１との連結解除のための準備（trigger  to  release  MSS）過程を行う（Ｓ２１０）。
【００２４】
その後、前記サービング基地局２２は、周辺のハンドオーバーターゲット基地局２３，２４に、特定移動局との２１ハンドオーバーの必要性を知らせる事前ハンドオーバー知らせメッセージ（HO-pre-notification）を転送する（Ｓ２１１，Ｓ２１２）。前記事前ハンドオーバー知らせメッセージには、ハンドオーバーを要請する移動局２１の識別子（MSS  identifier）、連結パラメータ（connection  parameters）、支援能力（capabilities）、必要な帯域幅（required  bandwidth）及びサービス品質に関する情報（Quality  of  Service）を含む。
【００２５】
事前ハンドオーバー要請メッセージを受信した周辺のハンドオーバーターゲット基地局２３，２４のそれぞれは、前記サービング基地局２２に事前ハンドオーバー知らせメッセージに対する応答として事前ハンドオーバー知らせ応答メッセージ（ＨＯ−ｐｒｅ−ｎｏｔｉｆｉｃａｔｉｏｎ−ｒｅｓｐｏｎｓｅ）を転送する（Ｓ２１３，Ｓ２１４）。前記事前ハンドオーバー知らせ応答メッセージには、前記事前ハンドオーバー知らせメッセージの受信確認（acknowledge）情報及び要請したサービス品質（Quality  of  Service）に対する支援可否情報を含む。
【００２６】
サービング基地局２２は、前記事前ハンドオーバー知らせ応答メッセージを介して受信した情報に基づいて、ハンドオーバー要請メッセージを前記移動局２１に転送する（Ｓ２１５）。前記ハンドオーバー要請メッセージは、ハンドオーバー可能な周辺のターゲット基地局２３，２４情報を含む。前記移動局２１は、前記ハンドオーバー応答メッセージからわかった周辺のターゲット基地局に対して受信信号の品質を測定する周辺基地局スキャニング過程を行う（Ｓ２１６）。この周辺基地局スキャニングの結果、ハンドオーバーしようとするターゲット基地局２４が発見された場合、前記移動局２１は、ハンドオーバーしようとするターゲット基地局情報を含むハンドオーバー応答メッセージをサービング基地局２２に転送する（Ｓ２１７）。サービング基地局２２は、移動局２１がハンドオーバーしようとするターゲット基地局３４にハンドオーバー確認メッセージを転送する（Ｓ２１８）。
【００２７】
続いて、移動局２１は、サービング基地局との連結を解除するためのハンドオーバー指示子メッセージ（ＭＯＢ−ＨＯ−ＩＮＤ）を、サービング基地局２２に転送する（Ｓ２１９）。前記サービング基地局２２は、前記ハンドオーバー指示子メッセージを受信すると、前記移動局２１に対して連結を解除する（Ｓ２２０）。
【００２８】
移動局２１は、ハンドオーバーが行われるサービスターゲット基地局２４と高速レンジング（Ｆａｓｔ  Ｒａｎｇｉｎｇ＿ＩＥ）、レンジング要請（ＲＮＧ−ＲＥＱ）及びレンジング応答（ＲＮＧ−ＲＳＰ）（Ｓ２２１，Ｓ２２２，Ｓ２２３）過程を経て、ハンドオーバー後の初期ネットワーク進入を完了する（Ｓ２２４）。
【００２９】
図３はハンドオーバー失敗（call  drop）が起きた場合、移動局が以前のサービング基地局に再進入する過程を示す流れ図である。
【００３０】
図３に示すように、移動局３１は、周辺基地局から転送される信号品質を測定する周辺基地局スキャニング過程を行う（Ｓ３１０）。この周辺基地局スキャニング結果、ハンドオーバーする必要があると判断されると、移動局３１は、サービング基地局３２に、ハンドオーバー要請メッセージ（ＭＯＢ−ＭＳＳ−ＨＯ−ＲＥＱ）を転送する（Ｓ３１１）。
【００３１】
そして、前記ハンドオーバー要請メッセージを受信したサービング基地局３２は、周辺のハンドオーバーターゲット基地局３３，３４に対して、移動局がハンドオーバー要請をしているという情報を含む事前ハンドオーバー知らせメッセージ（ＨＯ−ｐｒｅ−ｎｏｔｉｆｉｃａｔｉｏｎ）を転送する（Ｓ３１２，Ｓ３１３）。前記事前ハンドオーバー知らせメッセージには、ハンドオーバーを要請する移動局の識別子（MSS  identifier）、連結パラメータ（connection  parameters）、支援能力（capabilities）、必要な帯域幅（required  bandwidth）及びサービス品質に関する情報（Quality  of  Service）を含む。
【００３２】
事前ハンドオーバー要請メッセージを受信した周辺のハンドオーバーターゲット基地局３３，３４は、前記サービング基地局３２に事前ハンドオーバー知らせメッセージに対する応答として事前ハンドオーバー知らせ応答メッセージ（ＨＯ−ｐｒｅ−ｎｏｔｉｆｉｃａｔｉｏｎ−ｒｅｓｐｏｎｓｅ）を転送する（Ｓ３１４，Ｓ３１５）。前記事前ハンドオーバー知らせ応答メッセージには、前記事前ハンドオーバー知らせメッセージの受信確認（acknowledge）情報及び要請したサービス品質（Quality  of  Service）に対する支援可否情報を含む。
【００３３】
サービング基地局３２は、前記事前ハンドオーバー知らせ応答メッセージに応じて、周辺のハンドオーバーターゲット基地局３３，３４のいずれかを選択して、ハンドオーバー確認メッセージ（ＨＯ−Ｃｏｎｆｉｒｍ）を転送できる（Ｓ３１６）。そして、ハンドオーバーを行うターゲット基地局情報を含むハンドオーバー応答メッセージ（ＭＯＢ−ＢＳＨＯ−ＲＳＰ）を、移動局３１に転送する（Ｓ３１７）。前記ハンドオーバー応答メッセージを受信した移動局３１は、サービング基地局との連結を解除するためのハンドオーバー指示子メッセージ（ＭＯＢ−ＨＯ−ＩＮＤ）を、前記サービング基地局３２に転送する（Ｓ３１８）。前記サービング基地局は、前記ハンドオーバー指示子メッセージを受信すると、前記移動局に対して連結を解除する（Ｓ３１９）。
【発明の開示】
【発明が解決しようとする課題】
【００３４】
したがって、本発明は、従来技術の少なくとも一つ以上の問題点を本質的に解決する無線通信システムにおけるハンドオーバー遂行及び通信再開に関するものである。
【００３５】
本発明の目的は、無線接続システムにおいて、移動局がハンドオーバーを行う時、移動局がハンドオーバー過程である理由からハンドオーバーに失敗し、従前のサービス提供基地局に復帰しようとする場合に、效率的に通信を再開できる方法を提供することにある。
【課題を解決するための手段】
【００３６】
上記目的を達成する一実施例として、無線通信システムでハンドオーバーを行う方法は、サービング基地局（serving  base  station）と第１通信連結を通じて通信する段階と、前記サービング基地局から少なくとも一つの候補ターゲット基地局（target  base  station）と関連し、少なくとも前記少なくとも一つの候補ターゲット基地局によって処理されうるサービスの品質を含むハンドオーバー情報を受信する段階と、を含む。また、前記方法は、移動局（mobile  subscriber  station）は、前記ハンドオーバー情報に対応してハンドオーバーを行うか否かを決定し、前記サービング基地局として選択されたターゲット基地局にハンドオーバーを行うことを指示するハンドオーバー指示子を転送する段階と、前記サービング基地局との第１通信連結を維持する間、前記選択されたターゲット基地局と第２通信連結を設定するために前記選択されたターゲット基地局と、前記移動局と前記選択されたターゲット基地局との上りリンク同期及び電力調整の設定を試みる過程を含むレンジング過程を行う段階と、を含む。さらに、前記方法は、前記選択されたターゲット基地局とのハンドオーバーに失敗した場合、前記サービング基地局と正常の通信を再開したり、前記選択されたターゲット基地局から前記サービング基地局へ向かうハンドオーバー結果メッセージに対して前記サービング基地局から解除される段階を含む。
【００３７】
前記方法は、好ましくは、前記サービング基地局がハンドオーバーターゲット基地局にハンドオーバー確認を転送した後、前記サービング基地局から少なくとも前記ハンドオーバーターゲット基地局によって処理されるために要請されるサービス品質情報を含むハンドオーバー応答を受信する段階を含むことができる。また、前記方法は、好ましくは、ハンドオーバーを始めた移動局において、前記サービング基地局からハンドオーバー応答を受信する前に、第１通信連結を通じてサービング基地局にハンドオーバー要請を転送する段階をさらに含むことができる。また、前記方法は、好ましくは、ハンドオーバーを始めたサービング基地局において、前記サービング基地局にハンドオーバー応答を転送する前に、前記サービング基地局からハンドオーバー要請を受信する段階をさらに含むことができる。
【００３８】
前記移動局は、好ましくは、前記ハンドオーバー結果メッセージがハンドオーバー成功を指示する場合、前記サービング基地局から解除できる。前記移動局は、好ましくは、前記ハンドオーバー結果メッセージがハンドオーバー失敗を指示する場合、前記サービング基地局と正常の通信を再開できる。
【００３９】
前記レンジング過程を行う段階は、好ましくは、高速レンジングのために前記ターゲット基地局からフレームスロット割当を受信する段階と、前記割り当てられたフレームスロットを用いて、前記ターゲット基地局にレンジング要請を転送する段階と、前記ターゲット基地局からレンジング応答を受信する段階とを含むことができる。
【００４０】
前記ターゲット基地局から前記サービング基地局へ向かうハンドオーバー結果メッセージは、好ましくは、基地局間バックボーンメッセージでありうる。前記ハンドオーバー指示子は、（１）サービング基地局解除、（２）ハンドオーバー取消、（３）ハンドオーバー拒絶のうち一つを含むことができる。
【００４１】
本発明の他の実施例として、無線通信システムでハンドオーバーを行う方法は、第１通信連結を通じて移動局（mobile  subscriber  station）からハンドオーバー要請を受信する段階と、ターゲット基地局（target  base  station）に事前ハンドオーバー知らせを転送する段階と、前記サービング基地局が、前記ターゲット基地局からハンドオーバー確認を受信した後にハンドオーバー応答を転送する段階と、を含む。さらに、前記方法は、前記移動局から前記ターゲット基地局とハンドオーバー遂行を指示するハンドオーバー指示子を受信する段階と、前記サービング基地局との第１通信連結が維持される間、前記ターゲット基地局と第２通信連結を設定するために、前記ターゲット基地局と前記移動局間の設定過程を行う段階を含む。さらに、前記方法は、前記ターゲット基地局から前記サービング基地局へ向かうハンドオーバー結果メッセージに応じて、前記移動局との正常の通信を持続するか解除する段階を含む。
【００４２】
他の実施例において、無線通信システムでハンドオーバーを行う方法は、ターゲット基地局（target  base  station）に事前ハンドオーバー知らせを転送する段階を含む。前記方法はまた、サービング基地局（serving  base  station）が前記ターゲット基地局からハンドオーバー確認を受信した後にハンドオーバー応答を転送する段階と、第１通信連結を通じて前記サービング基地局との通信状態にある移動局（mobile  subscriber  station）にハンドオーバー要請を転送する段階と、を含む。さらに、前記方法は、前記移動局から前記ターゲット基地局にハンドオーバー遂行を指示するハンドオーバー応答を受信する段階を含む。前記方法はまた、前記サービング基地局との第１通信連結が維持される間、前記ターゲット基地局との第２通信連結を設定するために前記移動局と前記ターゲット基地局間のセットアップ過程を行う段階を含む。また、前記方法は、前記ターゲット基地局から前記サービング基地局へ向かうハンドオーバー結果メッセージに応じて、前記移動局との正常り通信を持続するか解除する段階を含む。
【００４３】
前記ハンドオーバー要請は、好ましくは、可能なハンドオーバーターゲット基地局を含むことができる。また、前記方法は、好ましくは、前記ターゲット基地局から前記サービング基地局へ向かうハンドオーバー結果メッセージを受信する段階をさらに含むことができる。
【発明の効果】
【００４４】
本発明は、広帯域無線接続システムに適用されることができる。
【発明を実施するための最良の形態】
【００４５】
以下、本発明に係る好適な実施例を、添付の図面を参照しつつ詳細に説明する。図面中、同一あるいは類似な構成要素及び部分には、可能な限り同一の参照番号及び符号を付けるものとする。
【００４６】
図４は、本発明の一実施形態による、移動局の要請に応じたハンドオーバー過程を示す流れ図である。
【００４７】
図４に示すように、移動局４１は、周辺基地局から転送される信号品質を測定する周辺基地局スキャニング過程を行う（Ｓ４１０）。この周辺基地局スキャニング結果、ハンドオーバーをする必要があると判断されると、移動局４１は、サービング基地局４２に対してハンドオーバー要請メッセージ（ＭＯＢ−ＭＳＳ−ＨＯ−ＲＥＱ）を転送する（Ｓ４１１）。
【００４８】
そして、前記ハンドオーバー要請メッセージを受信したサービング基地局４２は、周辺のハンドオーバーターゲット基地局４３，４４に、移動局がハンドオーバー要請をしているという情報を含む事前ハンドオーバー知らせメッセージ（ＨＯ−ｐｒｅ−ｎｏｔｉｆｉｃａｔｉｏｎ）を転送する（Ｓ４１２，Ｓ４１３）。前記事前ハンドオーバー知らせメッセージには、ハンドオーバーを要請する移動局の識別子（MSS  identifier）、連結パラメータ（connection  parameters）、支援能力（capabilities）、必要な帯域幅（required  bandwidth）及びサービス品質に関する情報（Quality  of  Service）を含む。
【００４９】
事前ハンドオーバー要請メッセージを受信した周辺のハンドオーバーターゲット基地局４３，４４は、前記サービング基地局４２に事前ハンドオーバー知らせメッセージに対する応答として事前ハンドオーバー知らせ応答メッセージ（ＨＯ−ｐｒｅ−ｎｏｔｉｆｉｃａｔｉｏｎ−ｒｅｓｐｏｎｓｅ）を転送する（Ｓ４１４，Ｓ４１５）。前記事前ハンドオーバー知らせに対する応答メッセージには、前記事前ハンドオーバー知らせメッセージの受信確認（acknowledge）情報及び要請したサービス品質（Quality  of  Service）に対する支援可否情報を含むことができる。
【００５０】
サービング基地局４２は、前記事前ハンドオーバー知らせに対する応答メッセージに応じて、周辺のハンドオーバーターゲット基地局４３，４４のいずれかを選択して、ハンドオーバー確認メッセージ（ＨＯ−Ｃｏｎｆｉｒｍ）を転送できる（Ｓ４１６）。そして、前記サービング基地局４２は、ハンドオーバーを行うターゲット基地局情報を含むハンドオーバー応答メッセージ（ＭＯＢ−ＢＳＨＯ−ＲＳＰ）を、移動局４１に転送する（Ｓ４１７）。前記ハンドオーバー応答メッセージを受信した移動局４１は、サービング基地局との連結を解除するためのハンドオーバー指示子メッセージ（例えば、ＭＯＢ−ＨＯ−ＩＮＤ）を、前記サービング基地局４２に転送する（Ｓ４１８）。
【００５１】
前記ハンドオーバー指示子メッセージの構成の一例を、下記の表１に示す。
【００５２】
【表１】
2008503172.tif 000003
前記ハンドオーバー指示子（ＭＯＢ−ＨＯ−ＩＮＤ）は、移動局４１がハンドオーバー中に、ある理由からハンドオーバーターゲット基地局へのハンドオーバーに失敗し、従前のサービング基地局４２に復帰する時、通信再開（Resume  communication）を従前のサービング基地局４２に知らせるための情報を含む。
【００５３】
移動局４１は、サービング基地局４２との連結を解除しなかった状態で、ハンドオーバーが行われるサービスターゲット基地局４４と高速レンジング（Ｆａｓｔ  Ｒａｎｇｉｎｇ＿ＩＥ）、レンジング要請（ＲＮＧ−ＲＥＱ）及びレンジング応答（ＲＮＧ−ＲＳＰ）（Ｓ４１９，Ｓ４２０，Ｓ４２１）過程を行う。本実施形態で、前記ターゲット基地局４４がハンドオーバーのために選択される。前記高速レンジングは好ましく、前記移動局４１と前記ターゲット基地局４４間の上りリンク同期を要求することができる。前記高速レンジングは好ましく、前記移動局４１が高速レンジングのために割り当てられたフレームスロットを使用するように、前記ターゲット基地局４４によるフレームスロット割当を含むことができる。
【００５４】
そして、ハンドオーバーに成功すると、ハンドオーバーターゲット基地局４４はそ、の結果をハンドオーバー結果メッセージ（例えば、ＨＯ−Ｃｏｍｐｌｅｔｅ）を介してサービング基地局４２に転送する（Ｓ４２２）。従前のサービング基地局４２は、前記ハンドオーバー結果メッセージを介してハンドオーバーに成功したことを認識し、移動局との連結を解除する（Ｓ４２３）。そして、初期ネットワーク進入過程（initial  network  entry）を完了する（Ｓ４２４）。
【００５５】
前記ハンドオーバー結果メッセージの構成の一例を、下記の表２に示す。
【００５６】
【表２】
2008503172.tif 000004
前記ハンドオーバー結果メッセージ（ＨＯ−Ｃｏｍｐｌｅｔｅ）は、基地局間バックボーン（Backbone）メッセージで、ハンドオーバーする移動局４１のハンドオーバー状態を、新規の基地局が以前基地局４２に知らせるメッセージである。このメッセージを介して、従前のサービング基地局４２は、移動局４１がハンドオーバーターゲット基地局４４にハンドオーバー完了したか否かがわかり、ハンドオーバーターゲット基地局４４に接続を試みたがハンドオーバーに失敗（call  drop）した場合には、失敗理由を設定して従前のサービング基地局４２に伝達することができる。前記失敗理由には、例えば、前記移動局４１の前記ハンドオーバーターゲット基地局４４への接近に失敗した呼び出しドロップ（call  drop）が挙げられる。
【００５７】
このように、本発明では、上記のように、ハンドオーバー過程が終了した後にも、ハンドオーバーターゲット基地局（新規のサービング基地局）４４の指示がなければ、一定時間、従前のサービング基地局４２が移動局４１関連資源と情報を維持するようにする。
【００５８】
図５は、本発明の一実施形態による、基地局の要請に応じたハンドオーバー過程を示す流れ図である。
【００５９】
図５に示すように、サービング基地局５２は、自身の判断によって移動局５１との連結解除のための準備（例えば、trigger  to  release  MSS）過程を行う（Ｓ５１０）。
【００６０】
その後、前記サービング基地局５２は、周辺のハンドオーバーターゲット基地局５３，５４に、特定移動局５１とのハンドオーバーの必要性を知らせる事前ハンドオーバー知らせメッセージ（ＨＯ−ｐｒｅ−ｎｏｔｉｆｉｃａｔｉｏｎ）を転送する（Ｓ５１１，Ｓ５１２）。この事前ハンドオーバー知らせメッセージには、ハンドオーバーを要請する移動局の識別子（MSS  identifier）、連結パラメータ（connection  parameters）、支援能力（capabilities）、必要な帯域幅（required  bandwidth）及びサービス品質に関する情報（Quality  of  Service）を含む。
【００６１】
事前ハンドオーバー要請メッセージを受信した周辺のハンドオーバーターゲット基地局５３，５４のそれぞれは、前記サービング基地局５２に事前ハンドオーバー知らせメッセージに対する応答として事前ハンドオーバー知らせ応答メッセージ（ＨＯ−ｐｒｅ−ｎｏｔｉｆｉｃａｔｉｏｎ−ｒｅｓｐｏｎｓｅ）を転送する（Ｓ５１３，Ｓ５１４）。前記事前ハンドオーバー知らせ応答メッセージには、前記事前ハンドオーバー知らせメッセージの受信確認（acknowledge）情報及び要請したサービス品質（Quality  of  Service）に対する支援可否情報を含む。
【００６２】
サービング基地局５２は、前記事前ハンドオーバー知らせ応答メッセージを介して受信された情報に基づいて、ハンドオーバー応答メッセージを前記移動局に転送する（Ｓ５１５）。前記ハンドオーバー応答メッセージは、ハンドオーバー可能な周辺のターゲット基地局５３，５４情報を含むことができる。前記移動局５１は、前記ハンドオーバー応答メッセージからわかった周辺のターゲット基地局に対して受信信号の品質を測定する周辺基地局スキャニング過程を行う（Ｓ５１６）。
【００６３】
この周辺基地局スキャニング結果、ハンドオーバーしようというターゲット基地局５４が発見された場合、前記移動局５１は、ハンドオーバーしようとするターゲット基地局情報を含むハンドオーバー応答メッセージをサービング基地局５２に転送する（Ｓ５１７）。サービング基地局５２は、移動局５１がハンドオーバーしようとするターゲット基地局５４に、ハンドオーバー確認メッセージを転送する（Ｓ５１８）。
【００６４】
そして、移動局５１は、サービング基地局との連結を解除するためのハンドオーバー指示子メッセージ（例えば、ＭＯＢ−ＨＯ−ＩＮＤ）を、サービング基地局５２に転送する（Ｓ５１９）。前記ハンドオーバー指示子メッセージは、上記表１に記載した通りである。
【００６５】
移動局５１は、サービング基地局５２との連結を解除しなかった状態で、ハンドオーバーが行われるサービスターゲット基地局５４と高速レンジング（Ｆａｓｔ  Ｒａｎｇｉｎｇ＿ＩＥ）、レンジング要請（ＲＮＧ−ＲＥＱ）及びレンジング応答（ＲＮＧ−ＲＳＰ）（Ｓ５２０，Ｓ５２１，Ｓ５２２）過程を行う。
【００６６】
そして、ハンドオーバーに成功すると、ハンドオーバーターゲット基地局５４は、その結果をハンドオーバー結果メッセージ（例えば、ＨＯ−Ｃｏｍｐｌｅｔｅ）を介してサービング基地局５２に転送する（Ｓ５２３）。このハンドオーバー結果メッセージは、上記表２に記載した通りである。従前のサービング基地局５２は、前記ハンドオーバー結果メッセージを介してハンドオーバーに成功したことを認識し、移動局との連結を解除する（Ｓ５２４）。そして、初期ネットワーク進入過程（initial  network  entry）を完了する（Ｓ５２５）。
【００６７】
図６は、本発明の一実施形態による、ハンドオーバー失敗（calldrop）が起きた場合に移動局が以前のサービング基地局と通信を再開する過程を示す流れ図である。
【００６８】
図６に示すように、移動局６１は、周辺基地局から転送される信号品質を測定する周辺基地局スキャニング過程を行う（Ｓ６１０）。この周辺基地局スキャニング結果、ハンドオーバーする必要があると判断されると、移動局６１はサービング基地局６２に、ハンドオーバー要請メッセージ（例えば、ＭＯＢ−ＭＳＳ−ＨＯ−ＲＥＱ）を転送する（Ｓ６１１）。
【００６９】
そして、前記ハンドオーバー要請メッセージを受信したサービング基地局６２は、周辺のハンドオーバーターゲット基地局６３，６４に、移動局がハンドオーバー要請をしているという情報を含む事前ハンドオーバー知らせメッセージ（例えば、ＨＯ−ｐｒｅ−ｎｏｔｉｆｉｃａｔｉｏｎ）を転送する（Ｓ６１２，Ｓ６１３）。この事前ハンドオーバー知らせメッセージには、ハンドオーバーを要請する移動局の識別子（MSS  identifier）、連結パラメータ（connection  parameters）、支援能力（capabilities）、必要な帯域幅（required  bandwidth）及びサービス品質に関する情報（Quality  of  Service）を含む。
【００７０】
事前ハンドオーバー要請メッセージを受信した周辺のハンドオーバーターゲット基地局６３，６４のそれぞれは、前記サービング基地局６２に事前ハンドオーバー知らせメッセージに対する応答として事前ハンドオーバー知らせ応答メッセージ（例えば、ＨＯ−ｐｒｅ−ｎｏｔｉｆｉｃａｔｉｏｎ−ｒｅｓｐｏｎｓｅ）を転送する（Ｓ６１４，Ｓ６１５）。前記事前ハンドオーバー知らせに対する応答メッセージには、前記事前ハンドオーバー知らせメッセージの受信確認（acknowledge）情報及び要請したサービス品質（Quality  of  Service）に対する支援可否情報を含む。
【００７１】
サービング基地局６２は、前記事前ハンドオーバー知らせに対する応答メッセージに応じて、周辺のハンドオーバーターゲット基地局６３，６４のいずれかを選択して、ハンドオーバー確認メッセージ（例えば、ＨＯ−Ｃｏｎｆｉｒｍ）を転送できる（Ｓ６１６）。そして、サービング基地局６２は、ハンドオーバーを行うターゲット基地局情報を含むハンドオーバー応答メッセージ（例えば、ＭＯＢ−ＢＳＨＯ−ＲＳＰ）を、移動局６１に転送する（Ｓ６１７）。前記ハンドオーバー応答メッセージを受信した移動局６１は、サービング基地局との連結を解除するためのハンドオーバー指示子メッセージ（例えば、ＭＯＢ−ＨＯ−ＩＮＤ）を、前記サービング基地局６２に転送する（Ｓ６１８）。
【００７２】
この時、移動局６１がハンドオーバーターゲット基地局６４と連結を試みたが、失敗（call  drop）する場合が発生しうる（Ｓ６１９）。移動局６１は、ハンドオーバーターゲット基地局６４へのハンドオーバー失敗を認識し、従前のサービング基地局６２に対してハンドオーバーを取消し、従前のサービング基地局６２と通信を再開するためのメッセージを転送する。サービング基地局６２はまだ移動局６１と連結を解除しなかったので、ハンドオーバーに失敗した移動局６１は、サービング基地局への再進入過程を行わずに、続いて連結を維持することができる。たとえ前記ハンドオーバー試みに失敗したとしても、前記移動局６１は前記サービング基地局６２への再進入過程を行うことなく前記サービング基地局６２と連結を維持することができる。連結を維持している従前のサービング基地局と通信を再開するために、上記表１に記載したハンドオーバー指示子メッセージを使用することができる。
【００７３】
一実施例として、無線通信システムでハンドオーバーを行う方法は、サービング基地局（serving  base  station）と第１通信連結を通じて通信する段階と、前記サービング基地局から少なくとも一つの候補ターゲット基地局（target  base  station）と関連し、少なくとも前記少なくとも一つの候補ターゲット基地局によって処理されうるサービスの品質を含むハンドオーバー情報を受信する段階と、を含む。また、前記方法は、移動局（mobile  subscriber  station）は、前記ハンドオーバー情報に対応してハンドオーバーを行うか否かを決定し、前記サービング基地局として選択されたターゲット基地局にハンドオーバーを行うことを指示するハンドオーバー指示子を転送する段階と、前記サービング基地局との第１通信連結を維持する間、前記選択されたターゲット基地局と第２通信連結を設定するために前記選択されたターゲット基地局と、前記移動局と前記選択されたターゲット基地局との上りリンク同期及び電力調整の設定を試みる過程を含むレンジング過程を行う段階と、を含む。さらに、前記方法は、前記選択されたターゲット基地局とのハンドオーバーに失敗した場合、前記サービング基地局と正常の通信を再開したり、前記選択されたターゲット基地局から前記サービング基地局へ向かうハンドオーバー結果メッセージに対して前記サービング基地局から解除される段階を含む。
【００７４】
前記方法は、好ましくは、前記サービング基地局がハンドオーバーターゲット基地局にハンドオーバー確認を転送した後、前記サービング基地局から少なくとも前記ハンドオーバーターゲット基地局によって処理されるために要請されるサービス品質情報を含むハンドオーバー応答を受信する段階を含むことができる。また、前記方法は、好ましくは、ハンドオーバーを始めた移動局において、前記サービング基地局からハンドオーバー応答を受信する前に、第１通信連結を通じてサービング基地局にハンドオーバー要請を転送する段階をさらに含むことができる。また、前記方法は、好ましくは、ハンドオーバーを始めたサービング基地局において、前記サービング基地局にハンドオーバー応答を転送する前に、前記サービング基地局からハンドオーバー要請を受信する段階をさらに含むことができる。
【００７５】
前記移動局は、好ましくは、前記ハンドオーバー結果メッセージがハンドオーバー成功を指示する場合、前記サービング基地局から解除できる。前記移動局は、好ましくは、前記ハンドオーバー結果メッセージがハンドオーバー失敗を指示する場合、前記サービング基地局と正常の通信を再開できる。
【００７６】
前記レンジング過程を行う段階は、好ましくは、高速レンジングのために前記ターゲット基地局からフレームスロット割当を受信する段階と、前記割り当てられたフレームスロットを用いて、前記ターゲット基地局にレンジング要請を転送する段階と、前記ターゲット基地局からレンジング応答を受信する段階とを含むことができる。
【００７７】
前記ターゲット基地局から前記サービング基地局へ向かうハンドオーバー結果メッセージは、好ましくは、基地局間バックボーンメッセージでありうる。前記ハンドオーバー指示子は、（１）サービング基地局解除、（２）ハンドオーバー取消、（３）ハンドオーバー拒絶のうち一つを含むことができる。
【００７８】
本発明の他の実施例として、無線通信システムでハンドオーバーを行う方法は、第１通信連結を通じて移動局（mobile  subscriber  station）からハンドオーバー要請を受信する段階と、ターゲット基地局（target  base  station）に事前ハンドオーバー知らせを転送する段階と、前記サービング基地局が、前記ターゲット基地局からハンドオーバー確認を受信した後にハンドオーバー応答を転送する段階と、を含む。さらに、前記方法は、前記移動局から前記ターゲット基地局とハンドオーバー遂行を指示するハンドオーバー指示子を受信する段階と、前記サービング基地局との第１通信連結が維持される間、前記ターゲット基地局と第２通信連結を設定するために、前記ターゲット基地局と前記移動局間の設定過程を行う段階を含む。さらに、前記方法は、前記ターゲット基地局から前記サービング基地局へ向かうハンドオーバー結果メッセージに応じて、前記移動局との正常の通信を持続するか解除する段階を含む。
【００７９】
他の実施例において、無線通信システムでハンドオーバーを行う方法は、ターゲット基地局（target  base  station）に事前ハンドオーバー知らせを転送する段階を含む。前記方法はまた、サービング基地局（serving  base  station）が前記ターゲット基地局からハンドオーバー確認を受信した後にハンドオーバー応答を転送する段階と、第１通信連結を通じて前記サービング基地局との通信状態にある移動局（mobile  subscriber  station）にハンドオーバー要請を転送する段階と、を含む。さらに、前記方法は、前記移動局から前記ターゲット基地局にハンドオーバー遂行を指示するハンドオーバー応答を受信する段階を含む。前記方法はまた、前記サービング基地局との第１通信連結が維持される間、前記ターゲット基地局との第２通信連結を設定するために前記移動局と前記ターゲット基地局間のセットアップ過程を行う段階を含む。また、前記方法は、前記ターゲット基地局から前記サービング基地局へ向かうハンドオーバー結果メッセージに応じて、前記移動局との正常り通信を持続するか解除する段階を含む。
【００８０】
前記ハンドオーバー要請は、好ましくは、可能なハンドオーバーターゲット基地局を含むことができる。また、前記方法は、好ましくは、前記ターゲット基地局から前記サービング基地局へ向かうハンドオーバー結果メッセージを受信する段階をさらに含むことができる。
【００８１】
したがって、本発明は、無線接続システムにおいて、移動局がハンドオーバー過程中に、ある理由によってハンドオーバーに失敗した場合、従前のサービス提供基地局に復帰して通信を再開しようとする時、效率的に通信を再開することができる。
【００８２】
本発明は、本発明の精神及び必須特徴を逸脱しない範囲で他の特定の形態に具体化できることは、当業者にとっては自明である。したがって、上記の詳細な説明はあらゆる面において制約的に解釈されてはいけなく、例示的なものとして考慮されなければならない。本発明の範囲は、添付の特許請求の範囲の合理的な解釈によって決定されるべきであり、本発明の等価的範囲内における変更はいずれも本発明の範囲に含まれる。
【図面の簡単な説明】
【００８３】
【図１】従来技術による、移動局（ＭＳＳ；Mobile  subscriber  station）の要請に応じたハンドオーバー過程を示す流れ図である。
【図２】従来技術による、基地局（ＢＳ；Base  Station）の要請に応じたハンドオーバー過程を示す流れ図である。
【図３】従来技術による、ハンドオーバー失敗（call  drop）が起きた場合に移動局が以前のサービング基地局に再進入する過程を示す流れ図である。
【図４】本発明の一実施形態による、移動局の要請に応じたハンドオーバー過程を示す流れ図である。
【図５】本発明の一実施形態による、基地局の要請に応じたハンドオーバー過程を示す流れ図である。
【図６】本発明の一実施形態による、ハンドオーバー失敗（call  drop）が起きた場合に移動局が以前のサービング基地局と通信を再開する過程を示す流れ図である。
【図１】
2008503172.tif 000005
【図２】
2008503172.tif 000006
【図３】
2008503172.tif 000007
【図４】
2008503172.tif 000008
【図５】
2008503172.tif 000009
【図６】
2008503172.tif 000010
【国際調査報告】
2008503172.tif 000011
2008503172.tif 000012
2008503172.tif 000013